(57)【要約】【課題】マイナスイオンを発生する機能を長期間に亘って維持する電気掃除機を提供する。【解決手段】前方に集塵室１３を、後方に電動送風機室１２を有する掃除機本体１０と、電動送風機室１２内に配置され前記集塵室１３内の空気を吸引する風を発する電動送風機１１と、掃除機本体１０の後部側面に設けられ電動送風機１１から電動送風機室１２へ排出された空気を大気へ放出する排気部３６と、排気部３６へ連通する排気通路内に設けられたイオン発生部３０と備え、イオン発生部３０を動作させる高圧回路３３を、電動送風機室１２内における電動送風機１１の後方下部に配置している。【選択図】図３
2008253433.tif 000002
【特許請求の範囲】
【請求項１】
前方に集塵室、後方に吸引風を発する電動送風機と、前記電動送風機からの排気を大気に放出する排気部を備え、前記電動送風機からの排気が前記排気部へ連通する排気通路にイオン発生部を動作させる高圧回路を配置させた電気掃除機。
【請求項２】
前方に集塵室を、後方に電動送風機室を有する掃除機本体と、前記電動送風機室内に配置され前記集塵室内の空気を吸引する風を発する電動送風機と、前記掃除機本体の後面に設けられ前記電動送風機から前記電動送風機室へ排出された空気を大気へ放出する排気部と、前記排気部へ連通する排気通路内に設けられたイオン発生部と備え、前記イオン発生部を動作させる高圧回路を、前記電動送風機室内における前記電動送風機の後方下部に配置したことを特徴とする電気掃除機。
【発明の詳細な説明】
【技術分野】
【０００１】
本発明は電気掃除機に係り、特に、イオンを発生させるイオン発生部を有する電気掃除機に関するものである。
【背景技術】
【０００２】
従来のこの種の電気掃除機は、特許文献１参照に記載されているようなものが一般的であった。この種の電気掃除機について図５を用いて説明する。
【０００３】
図５において、１はイオン発生電極２を有し、イオンを発生させるイオン発生部である。このイオン発生電極２は、高圧電線３によりマイナス７．５ｋＶ程度の高圧を発生する高圧回路４に接続されている。高圧回路４は、掃除機本体５の上方や、吸引風を発する電動送風機６の上部に設けられていた。掃除機本体５の後方には、イオン放出部７と排気部８とが設けられており、電動送風機６からの排気風の大部分（図５中のＡ）は排気部８から大気へ放出され、電動送風機６からの排気風の一部（図５中のＢ）は、イオン発生部１内を通過し、排気風と共にイオン放出口７からマイナスイオンが外気に放出される構成となっていた。
【特許文献１】特開２００４−３３４５４号公報
【発明の開示】
【発明が解決しようとする課題】
【０００４】
しかしながら、上記のような位置に高圧回路４を配置すると、電動送風機６の発熱が上方に配置した高圧回路４の周囲温度を高めることになり、その熱によって高圧回路４を構成する部品、特に半導体素子を劣化させたり、損傷させたりする恐れがあった。このため、イオン発生部１が安定に動作させることができなかった。
【０００５】
本発明は上記従来の課題を解決するものであって、イオンを発生させるための高圧回路を損傷させることなく、長期間に亘って安定にイオンを発生する電気掃除機を提供することを目的とする。
【課題を解決するための手段】
【０００６】
上記従来の課題を解決するために、本発明は、前方に集塵室、後方に吸引風を発する電動送風機と、前記電動送風機からの排気を大気に放出する排気部を備え、前記電動送風機からの排気が前記排気部へ連通する排気通路にイオン発生部を動作させる高圧回路を配置させた電気掃除機としたものであり、高圧回路が電動送風機からの排気風で冷却されるため、高圧回路の故障を防止することができる。
【発明の効果】
【０００７】
本発明の電気掃除機は、電動送風機からの排気風で高圧回路を冷却するため、イオン発生部の高圧回路の故障を抑制し、当初の性能を長期間に亘って維持することができる。また、高圧回路を排気通路に配設することより、内部空間を有効に利用し、掃除機本体を小型化させることが可能となる。
【発明を実施するための最良の形態】
【０００８】
第１の発明は、前方に集塵室、後方に吸引風を発する電動送風機と、前記電動送風機からの排気を大気に放出する排気部を備え、前記電動送風機からの排気が前記排気部へ連通する排気通路にイオン発生部を動作させる高圧回路を配置させた電気掃除機とするものである。
【０００９】
その結果、本発明の電気掃除機は、電動送風機からの排気風で高圧回路を冷却して、温度上昇による高圧回路の故障を防止し、マイナスイオンを発生する当初の機能を長期間に亘って維持することができる。また、高圧回路を排気通路に配設することより、内部空間を有効に利用し、掃除機本体を小型化させることが可能となる。
【００１０】
第２の発明は、前方に集塵室を、後方に電動送風機室を有する掃除機本体と、前記電動送風機室内に配置され前記集塵室内の空気を吸引する風を発する電動送風機と、前記掃除機本体の後面に設けられ前記電動送風機から前記電動送風機室へ排出された空気を大気へ放出する排気部と、前記排気部へ連通する排気通路内に設けられたイオン発生部と備え、前記イオン発生部を動作させる高圧回路を、前記電動送風機室内における前記電動送風機の後方下部に配置したことを特徴とする電気掃除機とするものであり、電動送風機の発熱は排気風によって放熱されるが、電動送風機の発熱温度は下部より上部へと伝わりつつ放熱していくため、電動送風機の後方下部を流れる排気風は、その他の部分を流れる排気風より温度が低くなる。そのため、電動送風機の後方下部に配置された高圧回路は、温度の低い排気風によって冷却され、比較的低い周囲温度の中で回路動作することができ、イオン発生部を長期間に亘って安定に動作させることができる。また、高圧回路を排気通路に配設することより、内部空間を有効に利用し、掃除機本体を小型化させることが可能となる。
【００１１】
（実施の形態１）
本発明の第１の実施の形態におけるイオン発生部を搭載した電気掃除機について、図１〜図４を用いて説明する。
【００１２】
図１は本実施の形態における電気掃除機の全体斜視図、図２は同電気掃除機の断面図である。図３は同電気掃除機の部分断面図、図４はイオン発生部を示した斜視図である。
【００１３】
図１及び図２において、掃除機本体１０は、後部に電動送風機１１を内蔵した電動送風機室１２が配され、前部に集塵室１４が配され、その集塵室１４内には着脱自在で塵埃を捕集する集塵袋１３を収納している。そして、掃除機本体１０の後方下部の両側に１対の走行用の車輪１５が回転自在に取付けられ、底面前部には同じく走行用のキャスター１６が取付けられている。掃除機本体１０の前部には、ホース１７の一端に設けた接続パイプ１８が着脱自在に接続されるホース差込み口１９が設けられている。
【００１４】
ホース１７の他端には、掃除の際に握る把手２０を備えた先端パイプ２１が設けられている。延長管２２は伸縮自在或いは継ぎ自在に構成され、下流側の端部が先端パイプ２１に着脱自在に接続され、上流側の端部は塵埃掻き揚げ用の回転ブラシ（図示せず）を内臓した吸込み具２３に着脱自在に接続される。
【００１５】
図２及び図３において、掃除機本体１０の外郭は、下ボデー１０ａと上ボデー１０ｂから構成され、掃除機本体１０の後方に電動送風機１１を収納するための電動送風機室１２を構成している。
【００１６】
電動送風機１１は、前部を弾性体よりなるサポートマエ２４で、後部を同じく弾性材料よりなるサポートウシロ２５で支持され、電動送風機室１２内に収納されている。隔壁２６は電動送風機室１２と集塵室１４とを仕切るものであり、隔壁２６の略中央に電動送風機１１の吸入開口２７と連通する格子状の隔壁開口部２８が設けられ、その隔壁開口部２８は集塵室１４側から一次フィルター２９で覆われている。
【００１７】
図３及び図４において、３０はマイナスイオンを発生するイオン発生部であり、このイオン発生部３０は、イオン発生電極３１を収納したイオン発生部本体３０ａと格子状に開口穴が形成されたカバー３０ｂから構成させている。３２は高圧電線でありイオン発生電極３１に接続され、イオン発生電極３１はネジ等で、イオン発生部本体３０ａに固定されている。
【００１８】
高圧電線３２の他端は、マイナス７．５ｋＶ程度の高圧を発生する高圧回路３３に接続されている。
【００１９】
高圧回路３３が動作することより、イオン発生電極３１の先端からはコロナ放電によりマイナスイオンが放射される。
【００２０】
また、図３において、イオン発生部３０は、掃除機本体１０の上ボデー１０ｂ上部後方に配設されており、３４は、マイナスイオンを放出するイオン放出口である。
【００２１】
図３において、電気掃除機の使用開始に当たり、電動送風機１１による吸引風は、一次フィルター２９を経て電動送風機１１の吸入開口２７に流れ込み、電動送風機１１内を通った空気は電動送風機１１の後部から排出され、電動送風機１１から排出された排気風は電動送風機室１２内を流れる。
【００２２】
この排気風の大部分は、矢印Ａで示すように、掃除機本体１０後方に配置された二次フィルター３５を経て、排気部３６から外部に放出される。
【００２３】
この電動送風機１１の後方から排出される排気の大部分（図３中の矢印Ａ）は、電動送風機１１の後方、即ち掃除機本体の後部側面に設けられた排気部３６から排気され、その主な排気路となる排気通路３７内に高圧回路３３が配設されている。高圧回路３３の配置は、電動送風機１１の後方下部にすると、電動送風機１１の排気のうち最も温度の低い排気で高圧回路３３を冷却することができる。
【００２４】
また一部の排気風は、矢印Ｂで示すようにイオン発生部３０内を経由してイオン放出口３４から排気され、イオン発生部３０から発生したマイナスイオンを、掃除をしている室内に拡散する。
【００２５】
マイナスイオンは、脱臭効果・抗菌効果がある他、一般にプラスに帯電している細塵がマイナスイオンを浴びることで塵離れが良くなり、空気中に飛散している細塵を床面に降下させ、空気中の細塵をも捕集し易くする効果が期待できる。
【００２６】
上記構成により、マイナスイオンを発生させるイオン発生部３０の高圧回路３３は、電動送風機１１からの排気風で冷却され、温度上昇を抑制することができるため、高圧回路３３が熱によって故障することを防止する。その結果、マイナスイオンの発生が妨げられることはなく、当初の性能を長期にわたり維持することができる。
【００２７】
また、高圧回路３３は、電動送風機室１２後方下部に配設したことより、高圧回路３３の大きさ分、スペースを有効活用し掃除機本体１０を小型化させることが可能となる。
【産業上の利用可能性】
【００２８】
以上のように、本発明は、マイナスイオンを安定に発生して放出する機能を有する電気掃除機に適用することができる。
【図面の簡単な説明】
【００２９】
【図１】本発明の実施の形態における電気掃除機の全体斜視図
【図２】同電気掃除機の断面図
【図３】同電気掃除機の部分断面図
【図４】イオン発生部を示した斜視図
【図５】従来の掃除機本体の要部断面図
【符号の説明】
【００３０】
１０  掃除機本体
１１  電動送風機
１２  電動送風機室
１４  集塵室
３０  イオン発生部
３３  高圧回路
３６  排気部
３７  排気通路
【図１】
2008253433.tif 000003
【図２】
2008253433.tif 000004
【図３】
2008253433.tif 000005
【図４】
2008253433.tif 000006
【図５】
2008253433.tif 000007